(57)【要約】【課題】ズームによる撮影を行った後に、再度同じズーム設定で撮影したい場合に前回撮影時のズームを簡単に再現して撮影することが可能な撮像装置を提供すること。【解決手段】光学ズームおよびデジタルズームを利用して撮影可能な撮像装置であって、ズームによる撮影を行った後に電源を切った際のズームの設定を記憶する前回撮影状況記憶手段と、前記電源を切ってから再度電源を入れるまでの時間が所定の時間より短い場合に、前記記憶手段に記憶されたズームに関する設定を該撮像装置にセットする前回撮影状況設定手段と、を有することを特徴とする。【選択図】図１
2015011221.tif 000002
【特許請求の範囲】
【請求項１】
光学ズームおよびデジタルズームを利用して撮影可能な撮像装置であって、
ズームによる撮影を行った後に電源を切った際のズームの設定を記憶する前回撮影状況記憶手段と、
前記電源を切ってから再度電源を入れるまでの時間が所定の時間より短い場合に、前記記憶手段に記憶されたズームに関する設定を該撮像装置にセットする前回撮影状況設定手段と、
を有することを特徴とする撮像装置。
【請求項２】
前記記憶されるズームの設定には、ズーム撮影を行った位置情報が含まれており、
前記前回撮影状況設定手段は、前記記憶されている位置情報と再度電源が入れられた位置が同じ位置であった場合に設定することを特徴とする請求項１記載の撮像装置。
【請求項３】
前記前回撮影状況設定手段は、前記光学ズームによりズームされた撮影画面を表示する第１の画面と、前記撮影状況記憶手段に記憶されたズームの設定を再現すべく前記光学ズームによりズームされた撮影画像をデジタル補正して表示する第２の画面とを表示制御することを特徴とする請求項１または２記載の撮像装置。
【請求項４】
前記第１の画面が選択されてから撮影された場合は、前記光学ズームによる倍率で撮影し、一方、前記第２の画面が選択されてから撮影された場合は、前記光学ズームによる倍率に対して前記デジタル補正によって、前記前回撮影状況記憶手段に記憶されたズーム倍率に補正して撮影することを特徴とする請求項３記載の撮像装置。
【請求項５】
前記第１の画面および第２の画面のどちらも選択されない状態で撮影された場合は、前記光学ズームによる撮影、および前記光学ズームによる倍率に対して前記デジタル補正によって、前記撮影状況記憶手段に記憶されたズーム倍率に補正して撮影のどちらも撮影することを特徴とする請求項３または４記載の撮像装置。
【請求項６】
光学ズームおよびデジタルズームを利用して撮影可能な撮像装置の制御方法であって、
ズームによる撮影を行った後に電源を切った際のズームの設定を記憶する前回撮影状況記憶ステップと、
前記電源を切ってから再度電源を入れるまでの時間が所定の時間より短い場合に、前記記憶ステップで記憶されたズームに関する設定を該撮像装置にセットする前回撮影状況設定ステップと、
を有することを特徴とする撮像装置の制御方法。
【請求項７】
光学ズームおよびデジタルズームを利用して撮影可能な撮像装置で読み取り可能なプログラムであって、
前記撮像装置を、
ズームによる撮影を行った後に電源を切った際のズームの設定を記憶する前回撮影状況記憶手段と、
前記電源を切ってから再度電源を入れるまでの時間が所定の時間より短い場合に、前記記憶手段に記憶されたズームに関する設定を該撮像装置にセットする前回撮影状況設定手段と、
を有することを特徴とする撮像装置として機能させるためのプログラム。
【発明の詳細な説明】
【技術分野】
【０００１】
本発明は、光学ズームおよびデジタルズームの機能を有する撮像装置、撮像装置の制御方法、およびプログラムに関する。
【背景技術】
【０００２】
レンズを動かすことによって焦点距離を変化させ、広角・望遠を切り替えて撮影する光学ズームと、写った画像の一部を切り取って補完拡大するデジタルズームを利用可能なデジタルカメラが利用されている。
【０００３】
これらのズーム機能を利用して撮影し電源を切った後で、被写体にシャッターチャンスが訪れ、前回と同じズーム倍率で撮影したい場合などがあるが、電源を入れてからズームを再度設定すると時間がかかりシャッターチャンスを逃してしまう場合がある。
【０００４】
これに対して特許文献１には電池交換後にシャッターチャンスを逃さないように、ズーム撮影後に電源をＯＦＦすると、電源を切る直前の倍率を保存し再起動後に状況を再現する仕組みが提案されている。
【先行技術文献】
【特許文献】
【０００５】
【特許文献１】特開２００４−７２２２２号公報
【発明の概要】
【発明が解決しようとする課題】
【０００６】
特許文献１では、カメラ電源ＯＮの状態で電池蓋やメディア蓋を開放すると、電池蓋スイッチ又はメディア蓋スイッチがこれを検知して、電源が自動的にＯＦＦされる。カメラは、電源ＯＦＦになるときの光学ズーム位置、フォーカス位置及び電子ズーム倍率のうち少なくとも１つを含むカメラ状態の情報をＥＥＰＲＯＭに記憶しており、その後、電源スイッチがＯＮ操作され、電源が再投入されたときには、ＥＥＰＲＯＭの記憶内容に従ってカメラ状態が再現される。これにより、再起動後すぐに電源ＯＦＦ直前と同じ条件で撮影を行うことができるようになっている。
【０００７】
しかしながら、特許文献１の技術を利用すると、再起動のたびに前回の設定が再現されてしまうので、通常の撮影をしたい場合などにはかえって余計な処理となってしまう場合がある。
【０００８】
そこで本発明では、ズームによる撮影を行った後に、再度同じズーム設定で撮影したい場合に前回撮影時のズームを簡単に再現して撮影することが可能な撮像装置を提供することである。
【課題を解決するための手段】
【０００９】
光学ズームおよびデジタルズームを利用して撮影可能な撮像装置であって、ズームによる撮影を行った後に電源を切った際のズームの設定を記憶する前回撮影状況記憶手段と、前記電源を切ってから再度電源を入れるまでの時間が所定の時間より短い場合に、前記記憶手段に記憶されたズームに関する設定を該撮像装置にセットする前回撮影状況設定手段と、を有することを特徴とする。
【発明の効果】
【００１０】
ズームによる撮影を行った後に、再度同じズーム設定で撮影したい場合に前回撮影時のズームを簡単に再現して撮影することが可能な撮像装置を提供することが可能となる。
【図面の簡単な説明】
【００１１】
【図１】本発明の撮像装置の背面図の一例を示す図である。
【図２】本発明の撮像装置のハードウェア構成図の一例を示す図である。
【図３】本発明の撮像装置の機能構成図の一例を示す図である。
【図４】本発明の撮像装置のズーム撮影のモデル図の一例を示す図である。
【図５】本発明の撮像装置のデジタルカメラ終了処理の一例を示すフローチャートである。
【図６】本発明の撮像装置の光学ズームが起動するまでデジタルズームで機能を補完する処理の一例を示すフローチャートである。
【図７】本発明の撮像装置の前回設定再現処理の一例を示すフローチャートである。
【図８】本発明の撮像装置の撮影画像選択画面表示処理の一例を示すフローチャートである。
【図９】本発明の撮像装置のデジタルカメラが保持する情報テーブルの構成例である。
【図１０】本発明の撮像装置の動作に関する設定画面の一例を示す図である。
【発明を実施するための形態】
【００１２】
以下、図面を参照して、本発明の実施形態を詳細に説明する。
図１は、本発明の撮像装置の背面図および画面の一例を示す図である。
【００１３】
撮像装置１００の上面には、シャッターボタン１０２が配置されている。シャッターボタンを押下することにより内蔵のスイッチがオンになることにより撮像動作が開始される。
【００１４】
表示画面１０１には、不図示の正面に配置されたレンズで捕らえた画像が表示される。また、各種設定画面の表示も行われる。表示画面１０１は表示の他にタッチパネルの機能も有しており、各種設定の際に、ユーザが画面をタッチすることで選択することが可能となっている。
【００１５】
表示画面１０３には、デジタル処理なし画像（光学ズームのみ）１０４と、デジタル処理あり画像（光学ズーム＋デジタルズーム、もしくはデジタルズームのみ）１０５を表示する。表示された画像はユーザ１０６により選択されることで撮影可能となっている。ユーザ１０６による選択は指によるタッチ操作でもよいし、タッチペンやボタン押下などによる操作でもよく、また、音声認識を利用した操作でもよい。
【００１６】
デジタル処理なし画像１０４が選択されシャッターボタンが押下されると、レンズで捕えた倍率で撮影される。デジタル処理あり画像１０５が選択されシャッターボタンが押下されると、レンズで捕えた画像をデジタルズームで補完して、または、デジタルズームで撮影される。
【００１７】
所定の条件とは、前回設定再現処理６０２において、再現すると判定された場合に表示される。例えば所定の時間内に再起動された場合などであるが、諸条件を設定することが可能である。詳細については後述する。
【００１８】
図２は、本発明の撮像装置のハードウェア構成図の一例を示す図である。
【００１９】
撮影装置１００は、いわゆるデジタルカメラから成り、撮影用のレンズ１０１、撮像素子（以下、「ＣＣＤ」と称する）１０２、カメラ信号処理部（以下、「ＡＤＣ」と称する）１０３、画像処理部１０４、システムコントローラ１１０、バッファメモリ１１１、フラッシュＲＯＭ１１２、インターフェース回路（以下、「Ｉ／Ｆ回路」と称する）１１３、カードホルダ１１４、メモリカード１１５、ディスプレイドライバ１１６、および操作部１２０を備える。
【００２０】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子１０２は、レンズ１０１から入射した撮像光を結像し、電気信号（アナログ信号）に変換して出力するＣＣＤイメージセンサで構成される。
【００２１】
カメラ信号処理部（ＡＤＣ）１０３は、撮像素子１０２から受けた電気信号にデジタル変換やホワイトバランス調整などの信号処理を行なって、デジタル信号に変換する機能を有する。システムコントローラ１１０は、画像処理部１０４、バッファメモリ１１１、フラッシュＲＯＭ１１２、Ｉ／Ｆ回路１１３、ディスプレイドライバ１１６、サウンドドライバ１１８、レンズ制御部１２７、ＬＥＤドライバ１２８、および操作部１２０に接続されている。
【００２２】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００２３】
前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００２４】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。
【００２５】
電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００２６】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００２７】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００２８】
バッファメモリ１１１には、画像処理部１０４で画像処理が行われる際に、一時的に画像データが保存される。フラッシュＲＯＭ１１２には、撮影装置１００の各種設定情報や、後述するユーザ情報等が保存される。
【００２９】
Ｉ／Ｆ回路１１３は、システムコントローラ１１０から出力される画像データを、メモリカード１１５に記録可能なデータ形式に変換する。また、Ｉ／Ｆ回路１１３は、メモリカード１１５から読み出された画像データ等を、システムコントローラ１１０で処理可能なデータ形式に変換する。
【００３０】
カードホルダ１１４は、記録媒体であるメモリカード１１５を撮影装置１００に着脱可能にする機構を備えると共に、メモリカード１１５との間でデータ通信が可能な電気接点を備える。また、カードホルダ１１４は、撮影装置１００で利用される記録媒体の種類に応じた構造を有する。
【００３１】
メモリカード１１５は、フラッシュメモリなどの半導体記憶素子を内蔵し、カードホルダ１１４に着脱可能なカード型の記録媒体である。メモリカード１１５には、撮影装置１００で撮影された画像データを記録することができる。
【００３２】
ディスプレイドライバ１１６は、システムコントローラ１１０から出力される画像データをディスプレイ１１７で表示可能な信号に変換する。具体的には、ディスプレイドライバ１１６は、システムコントローラ１１０から出力されるデジタルの画像データをアナログ画像信号に変換する処理を行い、次に画像サイズをディスプレイ１１７の表示可能エリアのサイズに適したサイズに変換する処理を行う。
【００３３】
サウンドドライバ１１８は、システムコントローラ１１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ドライバ１２８は、システムコントローラ１１０から出力される命令に従いランプ１２９の制御を行う。
【００３４】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をシステムコントローラ１１０に出力する。なお、操作部１２０には、図示の操作ボタン以外の操作ボタン類も含まれるが、それらの説明は省略する。
【００３５】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００３６】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードの切替方法については、前述のように、閲覧ボタン１２６の押下に限定されず、ディスプレイ１１７上のタッチパネル（不図示）などによる移行方法であってもよい。
【００３７】
閲覧モードでは、システムコントローラ１１０が、Ｉ／Ｆ回路１１３を介して、カードホルダ１１４に装着されているメモリカード１１５から設定情報と画像データを読み出す。設定情報は、現在装着されているメモリカード１１５に記録されている画像の枚数および記録されている画像データの容量などである。読み出される画像データは、例えば、画像１枚分の画像データまたはサムネイルデータである。なお、メモリカード１１５から読み出される画像データは、上述したように所定の圧縮形式で圧縮されている。
【００３８】
メモリカード１１５から読み出された画像データは、Ｉ／Ｆ回路１１３およびシステムコントローラ１１０を介して、ディスプレイドライバ１１６へ入力される。ディスプレイ開示ドライバ１１６は、入力された画像データをディスプレイ１１７に表示させる。
【００３９】
カーソルキー１２４は、ユーザが撮影装置１００に対する所定の指示や機能選択を行うためのキーである。ユーザは、カーソルキー１２４により、撮影装置１００に対する各種設定情報やユーザ認証情報などの操作入力を行うことができる。
【００４０】
また、カーソルキー１２４により、ディスプレイ１１７にメニュー画面や撮影装置１００に対して各種設定情報を設定するための画面を表示したり、撮影装置１００が有する所定の機能を選択することができる。
【００４１】
さらに、カーソルキー１２４により、撮影装置１００で撮影された画像データをディスプレイ１１７上にプレビュー表示させることができる。プレビュー表示とは、撮影装置１００で撮影した画像を、その直後にディスプレイ１１７に表示させる機能である。
【００４２】
なお、プレビュー表示については、ディスプレイ１１７上に撮影した画像を１枚のみ表示する構成に限定されず、サムネイル画像を含む複数の画像を表示するように構成してもよい。また、プレビュー表示の切り替えについては、カーソルキー１２４の押下に限らず、他のボタンの押下などの一般的な方法を利用して切り替えられる構成にしてもよい。また、プレビュー表示画面で、プレビュー表示画像の削除や編集などが行えるように構成してもよい。
【００４３】
レンズ制御部１２７は、レンズ１０１のレンズに対して、ズーム、フォーカス、絞り等の制御を行う。また、撮影装置１００は、被写体を撮像して画像データを得る撮影モードと当該撮影モードで得た画像データを表示する閲覧（再生）モードとを備える。
【００４４】
なお、音声についてはマイクやスピーカを用いることで、撮影装置１００と同様に記録、及び再生が可能である。また、映像（動画）記録時には、通常音声記録も同時に行われ、圧縮部１０８および伸長部１０９で、映像と音声が多重化される。
【００４５】
また、撮影装置１００における撮影動作について説明する。まず、ユーザが電源スイッチ１２１を操作し、撮影装置１００の電源をＯＮにする。すると、撮影装置１００に内蔵されているバッテリー（不図示）から各回路へ電源供給されて、撮影装置１００の起動処理（レンズバリアを開く動作制御およびマイクロコンピューターのリセット処理など）が行われる。
【００４６】
撮影装置１００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００４７】
撮影装置１００が撮影モードに移行すると、光学画像がレンズ１０１を介して撮影装置１００内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００４８】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。
【００４９】
色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６で画像処理を行う際は、画像データを一時的にバッファメモリ１１１に保存し、随時バッファメモリ１１１に保存されている画像データを読み出しながら画像処理が行われる。
【００５０】
画像処理部１０４から出力される画像データ（非圧縮）はシステムコントローラ１１０に入力される。システムコントローラ１１０は、画像処理部１０４から出力される画像データを、ディスプレイドライバ１１６へ出力する。
【００５１】
ディスプレイドライバ１１６は、入力される画像データ（デジタル信号）をアナログ画像信号に変換すると共に、アナログ画像信号に基づく画像のサイズをディスプレイ１１７で表示可能なサイズに調整する。
【００５２】
また、ディスプレイドライバ１１６は、ディスプレイ１１７に画像を表示させるよう制御する。このとき、ディスプレイ１１７に表示される画像は、ＣＣＤ１０２、ＡＤＣ１０３、および画像処理部１０４で、連続的に信号処理されて生成される画像（スルー画像）である。
【００５３】
ディスプレイ１１７にスルー画像が表示されている状態で、ユーザが希望のタイミングで撮影ボタン１２３を操作すると、システムコントローラ１１０は画像処理部１０４に制御信号を出力する。画像処理部１０４に制御信号が入力されると、圧縮部１０８は、前処理部１０５およびＹＣ処理部１０６で画像処理された画像データをバッファメモリ１１１へ保存し、圧縮処理を行う。
【００５４】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ１１０およびディスプレイドライバ１１６を介してディスプレイ１１７に表示される。また、圧縮された画像データは、カードホルダ１１４を介してメモリカード１１５に記録される。
【００５５】
撮影ボタン１２３が操作される前にズームボタン１２５が操作されると、システムコントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリカード１１５へ記録される。
図３は、本発明の撮像装置の機能構成図の一例を示す図である。
【００５６】
全体制御部３０１が各処理部と連動して処理を行うことで発明を実現している。全体制御部３０１は、不図示のメニューボタン、設定キー、タッチパネルなどからの入力を操作部３０２によって受け付け、処理した内容を液晶パネルなどの表示部３０３へ出力する。
【００５７】
表示部では、光学ズームされた画像を表示する第１の表示部と光学ズームされた画像をデジタルズームによって補正（補完）した画像を表示する第２の表示部を有し、ユーザにより選択された表示部に表示されている画像を撮影するようになっている。
【００５８】
前回撮影状況記憶部３０４は、撮像装置本体の電源がＯＦＦされた時に直前に撮影した光学ズーム画像の倍率などを情報テーブルに記憶する。他にもＧＰＳ状況は電源がＯＦＦされた時刻などが記憶される。
【００５９】
前回撮影状況設定部３０５では、前回撮影したときの設定を反映すると判定された場合に前回の撮影状況を設定するものである。判定方法については後述する。
【００６０】
時間計測部３０６は、電源を切ってから再度電源を入れるまでの時間を計測する。所定の時間よりも短い間隔で起動された場合に前回の撮影状況を反映するようになっている。
【００６１】
位置計測部３０７は、前回電源を切った場所と再度電源を入れた場所が同じ位置であったかを位置情報（ＧＰＳ）を利用して判定するようになっている。
【００６２】
図４は、本発明の撮像装置のズーム撮影のモデル図の一例を示す図である。
【００６３】
遠い被写体を映そうとした際に電源が落ちていると、電源投入後に光学ズームを設定するまで時間がかかり、シャッターチャンスを逃す可能性がある。その際、前回のズーム情報を取得して速やかに再現する機能は便利だが、時間が経過してない場合や、同じ場所以外でも再現されるのは煩わしい。
【００６４】
本実施形態では、前回終了時刻と起動時刻から時間の経過を判断し、設定状況によってはＧＰＳからも同じ場所と判断する事を可能とする。
【００６５】
ユーザがデジタルカメラ４０１による撮影後、電源をＯＦＦし、再度起動して撮影を継続する場合の操作の流れについて説明する図である。
【００６６】
デジタルカメラ４０１は遠方（遠い）の被写体を、ズーム機能を利用して撮影後、電源をＯＦＦする。４０２で再起動する際に、前回の設定を再現するような設定がなされていた場合に、前回設定再現処理４０３として、前回光学ズーム倍率、前回終了時刻、前回ＧＰＳ情報などをフラッシュＲＯＭに記憶する。前回の設定を再現するか否かについては、図１０にて後述するモード設定画面で設定可能である。
【００６７】
デジタルカメラが再起動後４０２、前回設定再現処理４０３の設定に応じて、撮影する画像を選択可能な画面を表示する（４０４）か、通常の画面を表示する（４０５）かが決定される。なお、前回設定再現処理４０３の判定条件の詳細は図９にて後述する。
【００６８】
撮影画像選択画面４０６では、左画面の画像４０７には（デジタル処理なしの）光学ズーム画像を表示し、右画面の画像４０８にはデジタルズーム処理ありを表す画像を表示する。これにより、光学ズームによりレンズのズームがシャッターチャンスまでに間に合えば光学ズームだけを採用すればよいし、間に合わない場合は、光学ズームをデジタルズームで補正して前回の倍率を再現することができる。この時に表示される右の画像４０８は現在の光学ズームの画像に対して、終了したときの倍率である前回光学ズーム倍率になるように補正した値の画像が表示される。この補正の条件式は例えば以下のものを利用できる。
【００６９】
「補正するデジタズーム倍率」＝「前回光学ズーム倍率」÷「光学ズームの現在の倍率」
【００７０】
例えば、前回光学ズーム倍率が「５」、「光学ズームの現在の倍率」が２の場合、「補正するデジタルズーム倍率」は２．５となる。
【００７１】
撮影画像選択画面４０６におけるユーザの選択状況４１２によって次の３つの画面表示の分岐がある。
（ケース１）右の画像４０８のデジタル補正ありの画像選択（４１４）
【００７２】
（ケース２）左の画像４０７のデジタル補正なしを選択したか、光学ズーム処理が完了した場合に自動表示される画面（４１３）、
【００７３】
（ケース３）左の画像４０７、右の画像４０８を選択しないでシャッターボタン４０９を押した場合（４１５）
【００７４】
ケース２では、左画面のデジタル処理なしの光学ズーム画像４０７を選択した場合、設定レンズの倍率で画像を表示する通常画面４１０が表示される。また、光学ズームが目標の倍率に到達した場合もデジタルズームによる補正倍率が１となりズーム処理が不要となるので通常画面４１０が（自動で）表示される。
【００７５】
ケース１では、右のデジタル処理ありの光学＋デジタル画像４０８を選択した場合、デジタルズーム種別選択画面４１７を表示する。
【００７６】
ケース３では、画面上の画像を選択しないでシャッターボタン４０９を押した場合（４１５）、左画面の画像４０７（デジタル補正なしの光学ズーム）と右画面の画像４０８（デジタル補正した光学＋デジタルズーム）の両方の画像を撮影する（４１６）。
【００７７】
通常画面４１０はデジタル処理を施さない、現在のレンズの設定倍率によって撮影する画面のことである。
【００７８】
デジタルズーム種別選択画面４１７は光学ズーム＋デジタル処理の画像４１８を選択させるか、光学ズーム直前にバックアップした通常倍率の画像に対して前回光学ズーム倍率でデジタル補正した画像４１９を選択させる。ユーザが左右どちらかの画像を選択した後、その選択した画像を１画面にて表示する（４２０）。
【００７９】
図６は、本発明の撮像装置の全体処理の一例を示すフローチャートである。
【００８０】
ステップＳ６０１においてデジタルカメラ（図１の１００）を起動する。ステップＳ６０２において、デジタルカメラの電源ＯＦＦ前の状態を再現する為に、前回設定再現処理（図７）を実行する。前回設定再現処理を行うかどうかはユーザによって設定可能な項目であり、前回設定再現処理を行うように設定されていない場合は、本処理はここで終了され、通常の動作がなされる。
【００８１】
ステップＳ６０３において、光学ズームを利用して撮影するか、光学ズームをデジタルズームで補完（以下、光学＋デジタルズームと表現する）して撮影するかを選択する、撮影画像選択画面表示処理（図８）を実行する。
【００８２】
ステップＳ６０４において図４に示す撮影画像選択画面４０６が表示されたか否かを判定する。表示された場合、ステップＳ６０５において、撮影する画像の倍率が、前回光学ズーム倍率を維持するように右画面の画像４０８を補正する。具体的には、光学ズーム画像のデジタルズーム補正処理を非同期処理で開始するもので、光学ズーム画像をデジタルズームで前回光学ズーム倍率の値になるように補正する処理を、光学ズームの処理が完了するまで続行する。
【００８３】
ステップＳ６０６において撮影画像選択画面４０６のユーザによる選択状況を判定する。分岐の種類は、（１）右の画像４０８が選択された場合、（２）左の画像４０７が選択されたか、光学ズーム処理が完了した、および、（３）左の画像４０７、右の画像４０８を選択しないでシャッターボタン４０９が選択された場合の３種類である。所定時間入力がなければスリープするようにしてもよいし、処理を終了するようにしてもよい。
【００８４】
ステップＳ６０６で（１）と判定された場合、デジタル補正あり画面４０８が選択された場合は、ステップＳ６１１に進み、デジタルズーム種別選択画面４１７を表示する。ステップＳ６１２において、光学ズーム＋デジタル処理の画像４１８を選択したか、光学ズーム直前にバックアップした通常倍率の画像に対して前回光学ズーム倍率でデジタル補正した画像４１９が選択されたかを判定する。
【００８５】
ステップＳ６１２で、光学＋デジタルズーム画像（図４の４１８）が選択された場合はステップＳ６１３に進み、光学＋デジタルズーム画像を表示（図４の４２０）し、ユーザによる撮影操作を受付けると（例えばシャッターボタンが押される）ステップＳ６１４で、画面に表示されている光学＋デジタルズームにより撮影を行う。
【００８６】
一方、デジタルズーム画像（図４の４１９）が選択された場合はステップＳ６１５に進み、光学ズーム開始前の通常画像バックアップを目標倍率にデジタルズーム補正した画像を表示（図４の４２０）し、ユーザによる撮影操作を受付けると、ステップＳ６１６で、画面に表示されているデジタルズーム画像で撮影を行う。撮影が終了するとステップＳ６０９のデジタルカメラ終了処理に進む。
【００８７】
ステップＳ６０６で（２）と判定された場合、すなわちデジタル補正なし画面４０７が選択された場合は、ステップＳ６０７に進み、現在のズーム倍率で撮影する通常画面４１０を表示する。ユーザによる撮影操作を受付けると、ステップＳ６０８に進み、通常使用された状態での撮影モード設定に応じた撮影を行いステップＳ６０９のデジタルカメラ終了処理に進む。
【００８８】
ステップＳ６０６で（３）と判定された場合、どちらの画面の選択されなかった場合は、ステップＳ６１０に進み、両方の画像（「光学＋デジタルズーム」と「デジタルズーム」）を撮影し、ステップＳ６０９のデジタルカメラ終了処理に進む。
【００８９】
ステップＳ６０９では、終了時の設定を保存するデジタルカメラ終了処理を行い本フローチャートの処理を終了する。
図５はデジタルカメラの終了処理の一例を示すフローチャートである。
【００９０】
ステップＳ５０１において終了する直前の光学ズーム設定操作で調整したズーム倍率を取得する。
【００９１】
ステップＳ５０２では、ステップＳ５０１で取得した光学ズーム倍率、デジタルカメラ終了時の時刻、およびデジタルカメラの位置情報などの設定情報をＲＯＭに記録する。記録する情報はこれに限ったものではなく、事前に設定することで取得可能である。
【００９２】
ステップＳ５０３では、デジタルカメラの電源をＯＦＦにして処理を終了する。次に本処理で取得する設定情報について図９を利用して説明する。
【００９３】
図９は、本発明の撮像装置のデジタルカメラが保持する情報テーブルの構成例である。
【００９４】
図５に示すデジタルカメラ終了処理が実行されたときにデジタルカメラのＲＯＭなどに記憶されるものである。
【００９５】
情報名として、設定情報再現フラグ９０１、前回光学ズーム倍率９０２、前回終了時刻９０３、前回ＧＰＳ情報９０４が記憶される。
【００９６】
前回光学ズーム倍率９０２は、電源を切る直前の光学ズームの倍率が記憶される。例えば、２倍、５倍、１０倍などを情報値として有する。
【００９７】
前回終了時刻９０３は、デジタルカメラの電源がＯＦＦされた時刻が記憶される。例えば、ｙｙｙｙ／ｍｍ／ｄｄの形式などを情報値として有する。
【００９８】
前回ＧＰＳ情報９０４は、デジタルカメラの電源がＯＦＦされた時の位置情報が記憶される。例えば、ＧＰＳにより示される位置情報などを情報値として有する。
【００９９】
図７は、本発明の前回設定再現処理の一例を示すフローチャートである。
図６のステップＳ６０２の前回設定再現処理に対応する。
【０１００】
ステップＳ７０１において図５で保存したフラッシュＲＯＭから前回の設定情報である前回光学ズーム倍率（図９の９０２）、前回終了時刻（図９の９０３）、および前回ＧＰＳ情報（図９の９０４）を取得する。
【０１０１】
ステップＳ７０２において、再起動されたのは所定時間内かどうかの判定を行う。例えば前回終了時刻と起動時刻の差分が規定値より少ないかを判定する。
【０１０２】
ステップＳ７０２で所定時間内に起動されたと判定された場合はステップＳ７０６に進み、所定時間内に起動されなかったと判定された場合は、ステップＳ７０３に進む。
【０１０３】
ステップＳ７０３では、動作設定のＧＰＳ判定モードがＯＮになっているかを判定する。ＧＰＳ判定モードがＯＮの場合はステップＳ７０４で、同じ場所かどうかの判定を行う。同じ場所とは、前回ＧＰＳ情報（図９の９０３）と現在デジタルカメラのある位置情報（ＧＰＳ情報）が同じかどうかということである。
【０１０４】
ステップＳ７０３でＧＰＳ判定モードがＯＦＦもしくはステップＳ７０４で同じ場所でないと判定された場合は、ステップＳ７０５に進み、前回設定を再現させないために前回再現フラグをＯＦＦにして図９に示す情報テーブルに記憶し処理を終了する。ステップＳ７０４で同じ場所であると判定された場合は、ステップＳ７０６に進む。
【０１０５】
ステップＳ７０６では、前回設定情報を再現させる処理でタッチパネルの左画面（図１の１０３）に表示させる為の光学ズーム開始前の通常画像バックアップを取得する。
【０１０６】
ステップＳ７０７では、前回設定情報再現フラグ（図９の９０１）をＯＮにし図９に示す情報テーブルに記憶するとともに、前回光学ズーム倍率の設定後、光学ズームの起動を開始し、処理を終了する。
【０１０７】
図８は、本発明の撮影画像選択画面表示処理の一例を示すフローチャートである。
図６のステップＳ６０３の撮影画像選択画面表示処理に対応する。
【０１０８】
ステップＳ８０１において、図７の前回設定再現処理で決定され、図９の情報テーブルに記憶された、前回設定情報再現フラグ（図９の９０１）がＯＮであるかを判定する。
【０１０９】
前回再現フラグがＯＮであった場合は、ステップＳ８０２に進み、図４に示す撮影画像選択画面４０６を表示し処理を終了する。一方、再現フラグがＯＦＦであった場合は、何も処理せず処理を終了する。
【０１１０】
なお、図７のステップＳ７０７で前回光学ズーム倍率の設定後、光学ズームの起動を開始するようにしているが、これは少しでも光学ズームの動作を早めるために本処理とは非同期にズームを行っているためである。この動作はステップＳ８０１の判定で「Ｙ」の時に開始するようにしてもよい。
【０１１１】
図１０は、本発明の撮像装置の動作に関する設定画面の一例を示す図である。
【０１１２】
撮像装置１００で所定の操作を行うことにより表示部４０１に表示される。設定内容４０５は、「再現モード」をＯＮ／ＯＦＦにする設定が可能である。「再現モード」がＯＮの場合に、図６のステップＳ６０２以降の処理が行われ、ＯＦＦの場合には、通常のデジタルカメラの動作となる。
【０１１３】
「再現モード」ＯＮが選択されると、「ＧＰＳ情報」および「時間間隔」の設定を行うことができる。「ＧＰＳ情報」でＯＮが設定されると、図７のステップＳ７０３〜Ｓ７０４の処理が実行される。
【０１１４】
「時間間隔」で設定された時刻が、図７のステップＳ７０２で所定時間として利用される。
【０１１５】
このような処理を行うことによって、ズームが再現されるまでに時間がかかってしまい、シャッターチャンスを逃してしまうことを防ぐことができる。
【０１１６】
また、光学ズームとデジタルズームを補完することによって所望の倍率で撮影することが可能な撮像装置を提供することができる。
【０１１７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１１８】
また、本発明におけるプログラムは、フローチャートの処理方法をコンピュータが実行可能なプログラムであり、本発明の記憶媒体はフローチャート処理方法をコンピュータが実行可能なプログラムが記憶されている。なお、本発明におけるプログラムは各装置の処理方法ごとのプログラムであってもよい。
【０１１９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１２０】
この場合、記録媒体から読み出されたプログラム自体が本発明の新規な機能を実現することになり、そのプログラムを記憶した記録媒体は本発明を構成することになる。
【０１２１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１２２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１２５】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１２６】
なお、上述した各実施形態およびその変形例を組み合わせた構成も全て本発明に含まれるものである。
【符号の説明】
【０１２７】
１００  撮像装置
１０１  表示画面
１０２  シャッターボタン
１０３  表示画面
１０４  デジタル処理なし画像
１０５  デジタル処理あり画像
【図１】
2015011221.tif 000003
【図２】
2015011221.tif 000004
【図３】
2015011221.tif 000005
【図４】
2015011221.tif 000006
【図５】
2015011221.tif 000007
【図６】
2015011221.tif 000008
【図７】
2015011221.tif 000009
【図８】
2015011221.tif 000010
【図９】
2015011221.tif 000011
【図１０】
2015011221.tif 000012